(57)【要約】【課題】本発明は、ウェブサイト中に記載されている薬事用語を効率的に照合することができる薬事用語照合システムの提供を課題とする。【解決手段】ユーザがＵＲＬ入力表示欄１０１にウェブサイトのＵＲＬを入力すると、サーバにおいて当該ウェブサイト中の用語とデータベース部１２に記憶されている薬事用語を照合し、該当する薬事用語についてチェックして、それを評価スコアとともにウェブサイトの画面に表示させる。また、ウェブサイトから抽出した薬事用語については別途電子メールによりユーザ端末に送信する。【選択図】      図１
2008181172.tif 000002
【特許請求の範囲】
【請求項１】
サーバとユーザ端末とがインターネットを介して接続され、ウェブサイト中に記載されている薬事用語を照合するための薬事用語照合システムであって、
前記サーバは、ウェブサイトのＵＲＬを入力するためＵＲＬ入力欄をユーザ端末に表示させるＵＲＬ入力欄表示手段と、
薬事用語を体系的に記憶するデータベース手段と、
前記ＵＲＬ入力欄表示手段により入力されたＵＲＬのウェブサイトについて、ウェブサイト中に記載されている各用語と、前記データベース手段に記憶されている薬事用語とを照合する薬事用語照合手段と、
該薬事用語照合手段による照合の結果、ウェブサイト中の薬事用語にチェックを付ける薬事用語チェック手段と、
該薬事用語チェック手段により薬事用語にチェックを付けられたウェブサイトの画面をユーザ端末に表示させる画面表示手段とを備えることを特徴とする薬事用語照合システム。
【請求項２】
前記データベース手段は、病名、特定部位、変化、景品表示法、薬的表現、プラースワードなどのカテゴリごとに薬事用語を体系的に記憶する請求項１に記載の薬事用語照合システム。
【請求項３】
前記薬事用語チェック手段は、病名等の薬事法に違反している可能性の高い薬事用語と、使い方によって薬事法に違反している可能性がある薬事用語と、記載されていると望ましい薬事用語とを色分けしてチェックする請求項１または請求項２に記載の薬事用語照合システム。
【請求項４】
前記データベース手段においてあらかじめ各薬事用語にスコアが付され、
前記薬事用語チェック手段によりチェックされたウェブサイト中の薬事用語のスコアを加減することにより、ウェブサイト全体の評価スコアを算出する評価スコア算出手段が設けられている請求項１または請求項３のいずれかに記載の薬事用語照合システム。
【請求項５】
前記データベース手段においてアレルギー性のある薬事用語と、それに対応する複数のアレルギー物質が関連づけて定められており、
前記薬事用語チェック手段によりアレルギー性のある薬事用語がチェックされた場合、当該薬事用語に対応するアレルギー物質を一覧表示させるアレルギー物質一覧表示手段が設けられている請求項１ないし請求項４のいずれかに記載の薬事用語照合システム。
【請求項６】
さらに、前記薬事用語照合手段による照合の結果、ウェブサイト中の薬事用語を抽出する薬事用語抽出手段と、
該薬事用語抽出手段により抽出された薬事用語をユーザ端末に対して電子メールにて送信するメール送信手段とを備える請求項１に記載の薬事用語照合システム。
【請求項７】
前記メール送信手段は、前記評価スコア算出手段により算出された評価スコアも併せて送信する請求項６に記載の薬事用語照合システム。
【請求項８】
前記ウェブサイトについて、上記照合、チェック、および抽出を定期的に行い、抽出された薬事用語や算出された評価スコアを自動的に送信する請求項６または請求項７に記載の薬事用語照合システム。
【発明の詳細な説明】
【技術分野】
【０００１】
本発明は、サーバとユーザ端末とがインターネットを介して接続され、ウェブサイト中に記載されている薬事用語を効率的に照合するための薬事用語照合システムに関する。
【背景技術】
【０００２】
近年、インターネットの普及に伴って、様々な商用サイトや情報サイトがユーザに対して配信されているが、この中でも最近の健康ブームやダイエットブームに相俟って、健康や病気に関する情報が掲載されたサイトが多く知られている。
【０００３】
一方で、薬事法等の法律では、ユーザの誤解を与えるような薬事用語を規制することも行われている。このためサイトを構築するにあたっては、例えば「薬と思わせるような効能効果を標榜しない」「剤形が、カプセル・錠剤・丸剤等を使用する場合は、「食品」である旨を明示する」「用法用量表示に工夫する」といったことが必要である。
【発明の開示】
【発明が解決しようとする課題】
【０００４】
しかしながら、サイト中のどの用語が薬事法等で規制されている薬事用語かどうかについては、一般のユーザにとっては判別が非常に難しい。このような場合には公的な機関に確認することもできなくもないが、サイトに記載されている用語について逐一照合することは非常に煩雑であり、実質的には不可能であるという問題があった。
【０００５】
本発明は、上述の問題に鑑みてなされたものであって、ウェブサイト中に記載されている薬事用語を効率的に照合することができる薬事用語照合システムの提供を課題とする。
【課題を解決するための手段】
【０００６】
本発明は、上記課題を解決するために、サーバとユーザ端末とがインターネットを介して接続され、ウェブサイト中に記載されている薬事用語を照合するための薬事用語照合システムであって、前記サーバは、ウェブサイトのＵＲＬを入力するためＵＲＬ入力欄をユーザ端末に表示させるＵＲＬ入力欄表示手段と、薬事用語を体系的に記憶するデータベース手段と、前記ＵＲＬ入力欄表示手段により入力されたＵＲＬのウェブサイトについて、ウェブサイト中に記載されている各用語と、前記データベース手段に記憶されている薬事用語とを照合する薬事用語照合手段と、該薬事用語照合手段による照合の結果、ウェブサイト中の薬事用語にチェックを付ける薬事用語チェック手段と、該薬事用語チェック手段により薬事用語にチェックを付けられたウェブサイトの画面をユーザ端末に表示させる画面表示手段とを備えることを特徴とする。これによれば、ユーザは当該サーバにウェブサイトのＵＲＬに関する情報を送信することにより、ウェブサイト中に記載されている薬事用語を効率的に照合することができる。なお、薬事用語とは、薬事法等の所定の法律により規制されている用語のことをいう。
【０００７】
また、前記データベース手段は、病名、特定部位、変化、景品表示法、薬的表現、プラースワードなどのカテゴリごとに薬事用語を体系的に記憶するのが好ましい。これによればサーバにおいて薬事用語をより体系的に照合することができる。
【０００８】
また、前記薬事用語チェック手段は、病名等の薬事法に違反している可能性の高い薬事用語と、使い方によって薬事法に違反している可能性がある薬事用語と、記載されていると望ましい薬事用語とを色分けしてチェックするのが好ましい。これによれば、病名等の薬事法に違反している可能性の高い薬事用語と、使い方によって薬事法に違反している可能性がある薬事用語と、記載されていると望ましい薬事用語も容易に判別することができる。
【０００９】
また、前記データベース手段においてあらかじめ各薬事用語にスコアが付され、前記薬事用語チェック手段によりチェックされたウェブサイト中の薬事用語のスコアを加減することにより、ウェブサイト全体の評価スコアを算出する評価スコア算出手段が設けられているのが好ましい。これによれば、薬事法等から見たウェブサイト全体の評価を容易に判別することができる。
【００１０】
また、前記データベース手段においてアレルギー性のある薬事用語と、それに対応する複数のアレルギー物質が関連づけて定められており、前記薬事用語チェック手段によりアレルギー性のある薬事用語がチェックされた場合、当該薬事用語に対応するアレルギー物質を一覧表示させるアレルギー物質一覧表示手段が設けられているのが好ましい。これによれば、薬事用語から関連するアレルギー物質を容易に把握することができる。
【００１１】
また、さらに、前記薬事用語照合手段による照合の結果、ウェブサイト中の薬事用語を抽出する薬事用語抽出手段と、該薬事用語抽出手段により抽出された薬事用語をユーザ端末に対して電子メールにて送信するメール送信手段とを備えるのが好ましい。これによれば、ユーザは電子メールからも薬事用語の照合結果を閲覧することができる。
【００１２】
また、前記メール送信手段は、前記評価スコア算出手段により算出された評価スコアも併せて送信するものであるのが好ましい。これによれば、ユーザは電子メールからも薬事法等に対するウェブサイトの評価を把握することができる。
【００１３】
また、前記ウェブサイトについて、上記照合、チェック、および抽出を定期的に行い、抽出された薬事用語や算出された評価スコアを自動的に送信するのが好ましい。これによれば、ウェブサイトにおける薬事用語の照合を定期的かつ自動的に行うことができる。
【発明の効果】
【００１４】
本発明によれば、ユーザは当該サーバにウェブサイトのＵＲＬに関する情報を送信することにより、ウェブサイト中に記載された薬事用語を効率的に照合することができる。このため、ウェブサイトにおける表現が薬事法等に抵触しているかどうかをチェックし、危険性のある用語を色分け表示したり、結果が一目で分かるように評価スコアも表示することが可能となる。
【発明を実施するための最良の形態】
【００１５】
次に本発明の一実施形態について図面を参照しつつ説明する。
【００１６】
図１は、本実施形態に係る薬事用語照合システム（以下、本システムという）の構成概略図である。
【００１７】
本システムは、図１に示すように、サーバ（１）とユーザ端末（２）とがインターネットを介して接続され、ユーザが所望するウェブサイトについて薬事用語を照合するものである。
【００１８】
前記サーバ（１）は、ＵＲＬ入力欄をユーザ端末（２）に表示させるＵＲＬ入力欄表示部（１１）と、薬事用語を体系的に記憶するデータベース部（１２）と、ウェブサイト中の薬事用語を照合する薬事用語照合部（１３）と、ウェブサイト中の薬事用語にチェックを付ける薬事用語チェック部（１４）と、ウェブサイト全体の評価スコアを算出する評価スコア算出部（１５）と、薬事用語にチェックを付けられたウェブサイトの画面をユーザ端末（２）に表示させる画面表示部（１６）と、ウェブサイト中の薬事用語を抽出する薬事用語抽出部（１７）と、所定の電子メールを送信するメール送信部（１８）とからなる。
【００１９】
なお、前記ユーザ端末（２）は、いわゆるパーソナルコンピュータと呼ばれるものであり、モニタ、キーボード、およびマウスなどからなる。
【００２０】
前記ＵＲＬ入力欄表示部（１１）は、図２に示すように、ウェブサイトのＵＲＬを入力するためＵＲＬ入力欄（１０１）をユーザ端末（２）に表示させるものである。ユーザは、ユーザ端末（２）のキーボードにより照合を所望するウェブサイトのＵＲＬを当該ＵＲＬ入力欄（１０１）に入力する。
【００２１】
また、本実施形態では、ＵＲＬ入力欄（１０１）の下部にメールアドレス入力欄（１０２）が表示されている。ユーザは、ユーザ端末（２）のキーボードにより自己のメールアドレスを当該メールアドレス入力欄（１０２）に入力する。
【００２２】
そして、ユーザがＵＲＬとメールアドレスを入力したあとに、下部に表示された「チェック」ボタン（１０３）をマウスでクリックすると、ＵＲＬとメールアドレスに関する情報がユーザ端末（２）からサーバ（１）に送信されているようなっている。
【００２３】
前記データベース部（１２）は、薬事法等により定められている薬事用語を体系的に記憶するものである。例えば、図３に示すように、病名、特定部位、変化、景表法、薬的表現、プラースワードなどのカテゴリごとに薬事用語を体系的に記憶する。病名には「うつ」「鬱」「炎症」「風邪」などの用語が、特定部位には「おなか」「お腹」「腹」「肩」などの用語が、変化には「上がる」「上昇」「増加」などの用語が、景表法（景品表示法）には「最高級」「最高」「世界最高」などの用語が、薬的表現には「医薬品として」「漢方」「薬」などの用語がそれぞれカテゴリごとに分けられている。
【００２４】
また、本実施形態では、上記カテゴリのほかに好ましい薬事用語として、「原材料名」「アレルギー物質」からなるプラスワード（単独加点）や、「エネルギー」「たんぱく質」「脂質」などのプラスワード（複合加点）についてもカテゴリとして分けされている。
【００２５】
前記薬事用語照合部（１３）は、ＵＲＬ入力欄（１０２）に入力されたＵＲＬのウェブサイトについて、ウェブサイト中に記載されている各用語と、前記データベース部（１２）に記憶されている薬事用語とを照合するものである。例えば、ウェブサイト中に病名の「ガン」が記載されている場合、それをデータベース部（１２）の病名カテゴリの「ガン」とを照合する。
【００２６】
前記薬事用語チェック部（１４）は、薬事用語照合部（１３）による照合の結果、ウェブサイト中の薬事用語にチェックを付けるものである。例えば、図４に示すように、ウェブサイト中のヘッダに記載されている薬事用語「ガン」「がん」「癌」にチェックを入れたり、文章中の薬事用語「免疫」「目」「向上」などにチェックを入れる。
【００２７】
このチェックの入れる方法として、特に限定されるものではなく、例えば該当する薬事用語の色を変えた上で点線枠で囲む方法などが挙げられる。また、該当する薬事用語にチェックを入れるに際しては、病名等の薬事法に違反している可能性の高い薬事用語と、使い方によって薬事法に違反している可能性がある薬事用語と、記載されていると望ましい薬事用語とを色分けしてチェックするものとしてもよい。
【００２８】
前記評価スコア算出部（１５）は、前記薬事用語チェック部（１４）によりチェックされた各薬事用語のスコアを加減することにより、ウェブサイト全体の評価スコアを算出するものである。この各薬事用語のスコアについては、前記データベース部（１２）においてあらかじめ前記薬事用語ごとにスコアを付されている。図４の表示画面では、画面最上部に評価スコア（本実施形態では−３５）が表示されている。
【００２９】
前記画面表示部（１６）は、図４に示すように、薬事用語チェック部（１４）により薬事用語にチェックを付けられたウェブサイトの画面をユーザ端末（２）に表示させるものである。このようにウェブサイトの画面に該当する薬事用語をチェックすることにより、ユーザはウェブサイト中の問題となる箇所を一目で閲覧することができる。
【００３０】
前記薬事用語抽出部（１７）は、薬事用語照合部（１３）による照合の結果、ウェブサイト中の薬事用語を抽出するものである。
【００３１】
前記メール送信部（１８）は、薬事用語抽出部（１６）により抽出された薬事用語をユーザ端末（２）に対して電子メールにて送信するものである。本電子メール例としては、例えば図５に示すように、薬事用語抽出部による抽出結果に従って、「『病名』に関する『ガン』含まれています」というような文章が羅列的に記載されたものが挙げられる。なお、本実施形態では、上述のスコア評価算出部（１５）により算出されたスコア評価（−３５）についてもメールの末文に記載されている。
【００３２】
なお、前記ウェブサイトについて、上記照合、チェック、および抽出を定期的に行い、抽出された薬事用語や算出された評価スコアを自動的に送信するものとしてもよい。
【図面の簡単な説明】
【００３３】
【図１】本システムの構成概略図である。
【図２】ＵＲＬ入力欄の一例を示す図である。
【図３】データベース部における薬事用語の構成を示す図である。
【図４】チェックされたあとのウェブサイトの表示画面の一例を示す図である。
【図５】電子メールの表示画面の一例を示す図である。
【符号の説明】
【００３４】
１・・・サーバ
２・・・ユーザ端末
【図１】
2008181172.tif 000003
【図２】
2008181172.tif 000004
【図３】
2008181172.tif 000005
【図４】
2008181172.tif 000006
【図５】
2008181172.tif 000007